(57)【要約】【課題】表示部を自動的に所望の高さに容易に調整する。【解決手段】画像情報を表示する表示画面１０２ａを有する表示部１０２と、この表示部を起立させるよう支持し、かつ表示部を略鉛直方向に昇降移動させる昇降移動機構１２０を含む台座部１０４を備える表示装置１００であって、表示画面の前面側に設けられ、操作手段１１７により入力された座標を検出する入力座標検出手段１３０と、操作手段が位置する高さを検出する高さ検出手段１１６と、高さ検出手段により検出した操作手段の高さに基づいて、表示部を昇降移動させるよう昇降移動機構を駆動制御する制御手段１４０と、を備える。このとき、操作手段は、光を発する発光手段１１７ｂを備える操作部材であり、高さ検出手段は、発光手段の照射する光に基づいて操作手段が位置する高さを検出する。【選択図】図１
2009069762.tif 000002
【特許請求の範囲】
【請求項１】
画像情報を表示する表示画面を有する表示部と、この表示部を起立させるよう支持し、かつ前記表示部を略鉛直方向に昇降移動させる昇降移動機構を備える表示装置であって、
位置を指定するための操作部材と、
前記操作部材が示す位置の高さを検出する高さ検出手段と、
前記高さ検出手段により検出した前記操作部材の高さに基づいて、前記表示部を昇降移動させるよう前記昇降移動機構を駆動制御する制御手段と、
を備えることを特徴とする表示装置。
【請求項２】
前記制御手段は、前記高さ検出手段により検出した前記操作手段の高さ位置と前記表示画面の略中央部が一致するように、前記表示部を昇降移動させるよう前記昇降移動機構を駆動制御することを特徴とする請求項１に記載の表示装置。
【請求項３】
前記操作部材は、位置を示す光を発する発光手段を備え、
前記高さ検出手段は、前記発光手段から照射する光を集光する集光手段と、該集光手段によって集光された光の高さ位置を検出するラインセンサとを備えることを特徴とする請求項１又は２に記載の表示装置。
【請求項４】
前記操作部材は、前記発光手段から発光した光を前記操作部材の長手方向に所定の照射角をなすように拡散させる拡散部材を備えることを特徴とする請求項３に記載の表示装置。
【請求項５】
前記高さ検出手段は、前記表示部の表示画面の一側端部に高さ方向に配置した複数の発光素子と、その対向する側端部の位置に配置した受光素子からなることを特徴とする請求項１又は２に記載の表示装置。
【請求項６】
前記表示画面の前面側に設けられ、前記操作部材によって指定された位置の座標を検出する入力座標検出手段を更に備え、
前記制御手段は、前記入力座標検出手段への入力操作の開始によって、前記昇降移動機構による前記表示部の昇降移動動作を終了することを特徴とする請求項１〜５の何れか１項に記載の表示装置。
【請求項７】
前記高さ検出手段は、前記表示画面の前面側に設けられ、前記操作部材に指定された位置の座標を検出する入力座標検出手段であることを特徴とする請求項１又は２に記載の表示装置。
【請求項８】
前記制御手段は、前記入力座標検出手段への入力操作の開始によって、前記昇降移動機構による前記表示部の昇降移動動作を終了することを特徴とする請求項７に記載の表示装置。
【請求項９】
前記操作部材は、ユーザが保持していることを検出する保持検出手段を備え、
前記制御手段は、前記保持検出手段によりユーザが前記操作部材を保持していることが検出された場合に、前記昇降移動機構による前記表示部の昇降移動動作を実施することを特徴とする請求項１〜８の何れか１項に記載の表示装置。
【請求項１０】
前記制御手段は、起動開始操作により、前記表示部を所定の高さまで上昇させ、使用終了操作により、前記表示部を最下降位置まで下降させることを特徴とする請求項１〜９の何れか１項に記載の表示装置。
【請求項１１】
ユーザと前記表示部との距離を検出する距離検出手段を更に備え、この距離検出手段によって、前記ユーザと前記表示部との距離が所定の大きさ範囲内である旨が検出された場合に、前記制御手段は、前記昇降移動機構を駆動制御することを特徴とする請求項１〜１０の何れか１項に記載の表示装置。
【発明の詳細な説明】
【技術分野】
【０００１】
本発明は、画像等を表示する表示部の前面側の表示画面にタッチパネルを備える表示装置に関し、特に、表示部の昇降移動機構を備える表示装置に関する。
【背景技術】
【０００２】
近年では、大型ＬＣＤ（ Liquid Crystal Display ）等の表示画面に、専用のタッチペンや指等によって接触された当該表示画面上の位置を検出するタッチパネルを備え、当該タッチペン等の接触の軌跡を表示するよう構成された電子黒板や電子ホワイトボードと称される表示装置が各種学校教育機関やオフィス等の会議等で使用されている。
【０００３】
しかし、このような会議等で使用される表示装置は、表示画面が遠方からでも見え易いようにするために、表示装置の設置面から表示画面まで所定の高さを有するよう表示部が台座部に起立されるように支持されている。このため、身長の低い子供や車椅子利用者等が使用する場合、表示画面およびタッチパネルが高い位置にあると、タッチパネルの操作が困難となってしまうことが課題となっていた。
【０００４】
このような課題を解決する装置として、特許文献１には、上下動スイッチの操作に基づいて表示装置付きタッチパネルを昇降させる昇降機構を設けることによって、タッチパネルを昇降させて、操作し易い位置に高さ調節して、タッチパネルの操作性を向上させる装置が開示されている。
【特許文献１】特開平８−１８４５４１号公報
【発明の開示】
【発明が解決しようとする課題】
【０００５】
しかしながら、特許文献１に開示された装置は、上下動スイッチの操作によって、駆動モータの動力を介して、表示装置付タッチパネルを所望の高さ位置に昇降移動させるものである。すなわち、表示装置付タッチパネルを所望の高さに設定されるまで、ユーザが上下動スイッチを操作しなければならず、当該表示装置付タッチパネルの所望の高さ設定に多少なりとも手間を要していた。
【０００６】
そこで、本発明は、従来の表示装置が有する上記問題点に鑑みてなされたものであり、本発明の目的は、表示部を容易に所望の高さに調整することの可能な、新規かつ改良された表示装置を提供することである。
【課題を解決するための手段】
【０００７】
上記課題を解決するために、本発明は、画像情報を表示する表示画面を有する表示部と、この表示部を起立させるよう支持し、かつ前記表示部を略鉛直方向に昇降移動させる昇降移動機構を備える表示装置であって、位置を指定するための操作部材と、前記操作部材が示す位置の高さを検出する高さ検出手段と、前記高さ検出手段により検出した前記操作部材の高さに基づいて、前記表示部を昇降移動させるよう前記昇降移動機構を駆動制御する制御手段と、を備えることを特徴とするものである。
【０００８】
このような構成とすることにより、ユーザが所持する操作部材の高さに応じて、表示部の高さを当該ユーザが所望の高さとなるように、自動的に表示部を昇降移動させるので、表示部の高さを容易に調整出来るようになり、ユーザにとって操作性及び利便性が向上する。
【０００９】
このとき、本発明において、制御手段は、前記高さ検出手段により検出した前記操作手段の高さ位置と前記表示画面の略中央部が一致するように、前記表示部を昇降移動させるよう前記昇降移動機構を駆動制御することとしてもよい。
【００１０】
このような構成とすることにより、ユーザが表示部の動作を予測しやすく、ユーザにとって使い勝手が良好になる。
【００１１】
また、本発明において、前記操作部材は、位置を示す光を発する発光手段を備え、前記高さ検出手段は、前記発光手段から照射する光を集光する集光手段と、該集光手段によって集光された光の高さ位置を検出するラインセンサとを備えることとしてもよい。
【００１２】
このような構成とすることにより、具体的に、高さ検出手段によって、ユーザが所持する操作部材の床面からの高さを検出して、当該検出データを元に表示部をユーザが使用し易い所望の高さに昇降移動させることによって、表示部の高さ調整が容易に出来るようになる。
【００１３】
また、本発明において、操作部材には、発光手段から発光した光を操作部材の長手方向に所定の照射角をなすように拡散させる拡散部材が設けられることとしてもよい。
【００１４】
このような構成とすることにより、操作部材に備わる赤外ＬＥＤ等の発光手段から発光された光が高さ検出手段に備わる鉛直方向の位置検出をするラインセンサに到達し易くなるので、より確実に操作部材の床面からの高さを検出して、当該検出データを元に表示部を所望の高さに確実に調整することが出来るようになる。
【００１５】
また、本発明において、前記高さ検出手段は、前記表示部の表示画面の一側端部に高さ方向に配置した複数の発光素子と、その対向する側端部の位置に配置した受光素子からなることとしてもよい。
【００１６】
このような構成とすることにより、表示部の側端部に高さ検出手段が設けられているので、利用者が容易に高さ調整を実施することができ、操作性を向上させることができ、さらに、高さ検出手段は高さ入力専用であり誤操作を防止できる。
【００１７】
また、本発明において、前記表示画面の前面側に設けられ、前記操作部材によって指定された位置の座標を検出する入力座標検出手段を更に備え、前記制御手段は、前記入力座標検出手段への入力操作の開始によって、前記昇降移動機構による前記表示部の昇降移動動作を終了すること入力座標検出手段への入力操作の開始によって、制御手段は、昇降移動機構による表示部の昇降移動動作を終了することとしてもよい。
【００１８】
このような構成とすることにより、自動的に昇降移動機構による表示部の昇降移動動作を終了することが出来るので、当該昇降移動動作を終了するために、余分な操作を不要とするので、ユーザにとって利便性が向上する。
【００１９】
また、本発明において、前記高さ検出手段は、前記表示画面の前面側に設けられ、前記操作部材に指定された位置の座標を検出する入力座標検出手段であってもよい。
【００２０】
このような構成とすることにより、タッチパネル等の入力座標検出手段を高さ検出手段として流用するので、検出する表示部の高さの範囲は、タッチパネルの位置の範囲内に限定されるものの、別途高さ検出手段を設ける必要が無くなるので、装置全体の設置面積を縮小して、省スペース化が実現される。また、入力座標検出手段の種類によってはユーザの手入力も可能となり、操作部材を所持していなくとも高さ入力が可能となる。
【００２１】
また、本発明において、前記制御手段は、前記入力座標検出手段への入力操作の開始によって、前記昇降移動機構による前記表示部の昇降移動動作を終了することとしてもよい。
【００２２】
このような構成とすることにより、自動的に昇降移動機構による表示部の昇降移動動作を終了することが出来るので、当該昇降移動動作を終了するために、余分な操作を不要とするので、ユーザにとって利便性が向上する。
【００２３】
また、本発明おいて、前記操作部材は、ユーザが保持していることを検出する保持検出手段を備え、前記制御手段は、前記保持検出手段によりユーザが前記操作部材を保持していることが検出された場合に、前記昇降移動機構による前記表示部の昇降移動動作を実施することとしてもよい。
【００２４】
このような構成とすることにより、表示装置を上下移動させるべきでないときに移動を禁止する一方、上下移動の必要が生じたときには容易に移動可能に切換えることができるので、安全性と利便性を両立させることができる。
【００２５】
また、本発明において、起動開始操作により、前記表示部を所定の高さまで上昇させ、使用終了操作により、前記表示部を最下降位置まで下降させることとしてもよい。
【００２６】
このような構成とすることにより、起動開始の操作によって、表示部の高さ調整の駆動制御が開始されるので、ユーザが所望の高さに表示部を調整できるようになり、使用終了操作によって、表示部が最下降位置まで下降するようになるので、移動等させる際における表示装置のバランスが良好となる。
【００２７】
また、本発明において、ユーザと前記表示部との距離を検出する距離検出手段を更に備え、この距離検出手段によって、前記ユーザと前記表示部との距離が所定の大きさ範囲内である旨が検出された場合に、前記制御手段は、前記昇降移動機構を駆動制御することとしてもよい。
【００２８】
このような構成とすることにより、例えば、表示部を直ぐに使用しないために、所定の距離より遠方にいる場合には、余計に表示部の昇降移動動作を実行せずに済むので、無駄な電力消費を抑制し、反対に、ユーザが表示部に近づき過ぎた場合には、表示部を昇降移動させた際にユーザが移動中の表示部に頭部等を負傷する危険を事前に防止出来るようになる。
【発明の効果】
【００２９】
以上説明したように本発明によれば、ユーザが所持する操作部材の高さに応じて、表示部の高さを当該ユーザが所望の高さとなるように、自動的に表示部を昇降移動させるので、表示部の高さを容易に調整出来るようになり、ユーザにとって操作性及び利便性が向上する。
【発明を実施するための最良の形態】
【００３０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３１】
(第１の実施の形態)
まず、本発明の表示装置の第１の実施の形態の構成について、図面を参照しながら説明する。図１は、本実施の形態の表示装置の全体の概要構成を示す斜視図であり、図２は、本実施の形態の表示装置の全体の概要構成を示す正面図であり、(ａ)は、通常使用時における表示装置、（ｂ）は、不使用時（移動時）における表示装置を示す。
【００３２】
表示装置１００は、大型ＬＣＤ等からなる表示画面１０２ａを有する表示部１０２と、この表示部１０２を起立させるように支持するための台座部となる支持スタンド１０４を備える。
【００３３】
図１に示すように、支持スタンド１０４は、表示装置１００の設置面となる床面に対して接触する基台１０６と、当該基台１０６と表示部１０２を連結して、当該表示部１０２の表示画面１０２ａが床面に対して略鉛直となるように支持する一対の脚部１０８を備える構成となっている。これらの脚部１０８の間の基台１０６の上面側には、プリンタ等の電子機器１１０を載置する載置台１１２が設けられている。また、基台１０６の底面側には、表示装置１００の略水平方向の移動を容易にするための移動用車輪となるキャスター１１４が設けられている。
【００３４】
本実施の形態では、表示部１０２の表示画面１０２ａの前面側には、タッチペン等の操作部材１１７（図６、図７参照）によって入力された座標を検出する入力座標検出手段となるタッチパネル１３０が当該表示画面１０２ａに重なるようにして設けられている。なお、本実施の形態のタッチパネル１３０の構成等の詳細な説明は、後述する。
【００３５】
また、本実施の形態では、表示装置１００の表示画面１０２ａの手前側の側方には、タッチパネル１３０を使用するユーザが所持するタッチペン１１７の高さを検出する高さ検出手段となる高さ検出部１１６が設けられている。高さ検出部１１６は、表示装置１００のタッチパネル１３０のユーザが使用時に所持しているタッチペン１１７の高さ位置を検出可能な範囲内であれば、表示画面１０２ａの手前側の側方以外の場所にも設置しても良い。なお、高さ検出部１１６の詳細な構成等については、後述する。
【００３６】
さらに、表示部１０２の下端側には、超音波を用いて、表示部１０２とユーザとの距離を検出する距離検出手段となる距離検出部１１８が設けられている。距離検出部１１８は、不図示の超音波の発生器と受信器から構成されており、超音波の発生時の波形（位相）と受信時の波形（位相）の時間差を検出して、距離を測定する装置である。
【００３７】
また、本実施の形態では、表示部１０２は、略鉛直方向に移動可能な構成となっている。すなわち、表示部１０２を支持する脚部１０８は、当該表示部１０２を略鉛直方向に移動させる昇降移動機構１２０（図３参照）を含む構成となっている。昇降移動機構１２０は、後述の駆動モータ１２７（図５参照）の駆動により、表示部１０２を支持する表示部支持部材１０３を上下に移動させる機能を有する。表示部１０２を使用時には、図２（ａ）に示すように、表示画面１０２ａが所定の距離を置いても見え易いように、表示部１０２が上側に設置される。一方、表示装置１００を移動させる場合等の表示部１０２を不使用時には、表示装置１００が転倒しないようにするために、図２（ｂ）に示すように、当該表示部１０２を基台１０６に当接する位置まで下降移動させて、表示装置１００の重心を下げて、移動させる際の表示装置１００の安定感を確保することが出来る。
ここでは、表示部１０２を基台１０６に当接する位置まで下降移動しているが、安定性を確保できるならば、予め設定しておいた最下降位置まで下降移動するようにしてよい。
【００３８】
次に、本実施の形態の表示装置の台座部に備わる表示部の昇降移動機構について、図面を使用しながら説明する。図３は、本実施の形態の表示装置の表示部の昇降移動機構の概略構成を示す側面図であり、（ａ）は、通常使用時の状態を示す側面図、（ｂ）は、本実施の形態の表示装置の昇降移動機構に備わる表示部支持部材の構成を上から見た図であり、図４は、本実施の形態の表示装置の表示部の昇降移動機構の概略構成であり、不使用時の状態を示す側面図である。
【００３９】
図３（ａ）に示すように、本実施の形態では、表示部１０２は、昇降移動機構１２０によって、略鉛直方向に移動可能な構成となっている。すなわち、表示部１０２は、表示部支持部材１０３を介して、昇降移動可能に昇降移動機構１２０を含む脚部１０８に支持されている。
【００４０】
脚部１０８は、図３（ｂ）に示すように、側面１０８ａのうちの一側面にスリット状の空隙部１０８ｂが形成され、基台１０６に対して略鉛直に起立して設けられている柱状部材であり、当該空隙部１０８ｂから断面が略凸形状の表示部支持部材１０３の先端部１０３ａが突出している。表示部支持部材１０３は、先端部１０３ａが表示部１０２に連結されて、空隙部１０８ｂに沿って当該表示部１０２を昇降移動可能に支持する。
【００４１】
図５に示すように、脚部１０８の頂部側には、後述の駆動モータ１２７の回転駆動力を介して回転動作をする滑車１２２が滑車支持部１２３を介して連結されており、この滑車１２２には、綱状部材である昇降移動用ワイヤ１２５が係合されている。昇降移動用ワイヤ１２５は、脚部１０８の頂部側に設けられる滑車１２２と、基台１０６側に設けられる補助プーリー１２４との間に張架され、当該昇降移動用ワイヤ１２５の一端は、滑車１２２に連結され、他端は、表示部支持部材１０３の下面側１０３ｂに連結されている。
【００４２】
このため、表示部１０２が上昇した通常使用時に、駆動モータ１２７（図５参照）の回転駆動力が作動すると、所定の方向（図３に示す反時計回り）に滑車１２２が回転動作することによって、昇降移動用ワイヤ１２５が滑車１２２に巻き取られて、図４に示すように、当該昇降移動用ワイヤ１２５の他端が連結された表示部支持部材１０３を下方に移動させる。換言すると、昇降移動機構１２０に含まれる滑車１２２の回転駆動力が昇降移動用ワイヤ１２５に伝達されて、当該昇降移動用ワイヤ１２５および表示部支持部材１０３を介して、表示部１０２を略鉛直方向に移動させる駆動力に変換される。
【００４３】
本実施の形態の昇降移動機構１２０による表示部１０２の昇降移動動作の駆動源となる駆動モータ１２７の動力を伝達する駆動側ギア１２７ａは、図５に示すように、２つの滑車１２２を連結する滑車連結シャフト１２６に設けられたシャフト側ギア１２６ａと噛合している。駆動モータ１２７が駆動開始して、駆動側ギア１２７ａを回転駆動させることによって、駆動モータ１２７の回転駆動力がシャフト側ギア１２６ａに伝達され、滑車連結シャフト１２６を介して、当該回転駆動力が滑車１２２に伝達され、当該滑車１２２が昇降移動用ワイヤ１２５を巻き取り、表示部１０２を下降させる。
【００４４】
次に、本実施の形態の表示装置に備わる高さ検出手段の構成および動作について、図面を使用しながら説明する。図６は、本実施の形態の表示装置に備わる高さ検出手段の概略を示す構成図である。
【００４５】
本実施の形態では、高さ検出部１１６には、タッチパネル１３０への座標入力を行う操作部材であるタッチペン１１７の後端に設けられた赤外ＬＥＤユニットからなる発光手段１１７から発光する光を集光する集光手段として、集光レンズ１１６ａとシリンドリカルレンズ１１６ｂが備わり、これらの集光手段１１６ａ、１１６ｂによって集光された光の高さ位置を検出するラインセンサとして、ＣＣＤ（ Charge Coupled Device ）ラインセンサ１１６ｃが備わっている。
【００４６】
タッチペン１１７の後端に設けた赤外ＬＥＤユニットが発光した赤外光を集光レンズ１１６ａで上下方向から中央のＣＣＤラインセンサ１１６ｃに向けて集光し、シリンドリカルレンズ１１６ｂで集光された赤外光を前後方向から中央のＣＣＤラインセンサ１１６ｃに集光する。そして、ＣＣＤラインセンサ１１６ｃにより、赤外光が検出された位置によってタッチペン１１７の高さを検出する。このように、高さ検出部１１６によって、タッチパネル１３０を使用するユーザが所持するタッチペン１１７の床面からの高さを検出して、当該検出データを元に表示部１０２をユーザが使用し易い所望の高さに昇降移動させることによって、表示部１０２の高さ調整が容易に出来るようになる。
【００４７】
次に、本実施の形態の表示装置に備わるタッチパネルの操作部材となるタッチペンおよび発光手段の構成について、図面を使用しながら説明する。図７は、本実施の形態の表示装置に備わるタッチパネルの操作部材となるタッチペンの構成を示す正面図である。
【００４８】
タッチペン１１７の先端部１１７ａは、タッチパネル１３０への座標入力用に用いる。一方、タッチペン１１７の後端側には、発光手段として赤外ＬＥＤユニット１１７ｂを備えている。また、タッチペン１１７の後端側には、赤外ＬＥＤユニット１１７ｂから発光した光をタッチペン１１７の長手方向に所定の照射角をなすように拡散させる拡散部材となる拡散板１１７ｃが設けられている。このように、拡散板１１７ｃを設けることによって、拡散板１１７ｃが赤外ＬＥＤユニット１１７ｂから発光された赤外光を拡散して、タッチペン１１７の長手方向に赤外光が拡がるようになる。このため、タッチペン１１７に備わる発光手段１１７ｂから発光された光が高さ検出部１１６に備わる鉛直方向の位置検出をするＣＣＤラインセンサ１１６ｃに到達し易くなるので、より確実にタッチペン１１７の床面からの高さを検出して、当該検出データを元に表示部１０２を所望の高さに確実に調整することが出来るようになる。
【００４９】
次に、本実施の形態の表示装置に備わるタッチパネルの構成について、図面を使用しながら説明する。図８は、本実施の形態の表示装置に備わるタッチパネルの構成を示す平面図である。
【００５０】
タッチパネル１３０は、略矩形のガラス等の透過部材１３１の４辺にそれぞれタッチペン１１７のタッチ位置を検出するためのＬＥＤアレイ１３２、１３３とフォトトランジスタアレイ１３４、１３５を設けており、図８に示す上辺にＸ方向フォトトランジスタアレイ１３４、下辺にＸ方向ＬＥＤアレイ１３２、右辺にＹ方向フォトトランジスタアレイ１３５、左辺にＹ方向ＬＥＤアレイ１３３を設けられている。
【００５１】
タッチペン１１７により透過部材１３１上に触れると、触れた位置を通過するＬＥＤ１３２、１３３の光がタッチペン１１７により遮蔽され、フォトトランジスタ１３４、１３５に到達しなくなるために、到達しなかったフォトトランジスタ１３４、１３５の座標を指定された座標として出力する。図８の例では、Ｐ１０（xi、yi）がこの座標に相当する。
【００５２】
タッチペン１１７によって入力された座標の位置に所定のオブジェクトが不図示の情報処理装置等に表示される。このオブジェクトの例としては、例えば、点画像がある。ユーザがタッチペン１１７で透過部材１３１の表面をなぞることによって、点画像のオブジェクトを連続的に表示させて、所望の図形や文字を描くことが出来るようになる。その他オブジェクトとしては、直線、円形、三角形、四角形といった予め定められた定形図形であってもよい。
【００５３】
次に、本実施の形態の表示装置の制御手段の動作に係る電気的構成について、図面を使用しながら説明する。図９は、本実施の形態の表示装置の制御手段の動作に係る電気的構成を示すブロック図である。
【００５４】
本実施の形態の表示装置１００は、装置動作を統括制御する制御手段となる制御部１４０を備える。制御部１４０は、表示装置１００の動作制御の中心的素子となる不図示のＣＰＵが含まれ、このＣＰＵには、ＣＰＵが実行するプログラムや各種データが格納された不図示のＲＯＭ、作業用のメモリ等として使用される不図示のＲＡＭが接続されている。ＣＰＵは、ＲＯＭに記憶されたデータ、プログラム等に従って、表示装置１００の表示部１０２の昇降移動をシーケンス動作させる。
【００５５】
図９に示すように、制御部１４０は、入力段側には、起動操作部１４１、高さ調整操作部１４２、距離検出部１１８、タッチパネル１３０、および高さ検出部１１８と接続され、出力段側には、表示部１０２、プリンタ１１０、および駆動モータ１２７と接続されて制御している。
【００５６】
起動操作部１４１は、表示装置１００の表示部１０２を使用するに際し、起動開始操作をする起動ボタンとしての機能を有する。起動操作部１４１がユーザによってＯＮ入力されると、起動指示をするコマンド信号が制御部１４０に送信されて、当該制御部１４０が駆動モータ１２７を駆動するようコマンド信号を送信し、駆動モータ１２７が回転駆動開始することによって、表示部１０２が所定の高さとなる初期位置まで上昇移動するようになる。また、起動操作部１４１は、ユーザが表示装置１００の使用を完了した際に使用終了操作、すなわち、起動ボタンの操作によって終了が指示されると、表示部１０２を下降させるよう制御部１４０にコマンド信号が送信され、駆動モータ１２７が上記の上昇移動時と反対の方向に回転駆動開始することによって、表示部１０２を最下降位置まで下降させるようになる。
【００５７】
高さ調整操作部１４２は、表示装置１００の表示部１０２の高さ調整をするに際し、昇降移動操作をする高さ調整開始ボタンとしての機能を有する。高さ調整操作部１４２がユーザによってＯＮ入力されると、高さ調整開始の指示をするコマンド信号が制御部１４０に送信されて、当該制御部１４０が高さ検出部１１８にユーザが使用するタッチペン１１７の床面からの高さを検出するようコマンド信号を送信し、高さ検出部１１８が当該タッチペン１１７の高さを検出すると、制御部１４０は、表示部１０２を検出されたタッチペン１１７の高さとなるように表示部１０２を昇降移動させるために、駆動モータ１２７に回転駆動するようコマンド信号を送信する。なお、本実施の形態では、表示部１０２が所望の高さに昇降移動して、ユーザがタッチペン１１７をタッチパネル１３０にタッチして使用開始した際に、表示部１０２の昇降移動機構１２０による昇降移動動作が完了する。
【００５８】
次に、本実施の形態の表示装置の表示部の昇降移動動作について、図面を使用しながら説明する。図１０は、本実施の形態の表示装置の制御部によって動作制御される表示部の昇降移動動作のフローを示すフローチャートである。
【００５９】
まず、起動操作部となる起動ボタン１４１がユーザによって入力操作（起動指示）されたか否かを判定する（工程Ｓ１１０）。工程Ｓ１１０で起動指示されたと検出されると、表示部１０２を図２（ｂ）に示すような最下降の状態から図２（ａ）に示すような初期位置の状態まで上昇させる（工程Ｓ１２０）。
【００６０】
その後、高さ調整開始ボタン１４２のオン操作の有無を判定し（工程Ｓ１３０）、高さ調整開始ボタン１４２のオン操作が有りと検出された場合は、その後、高さ検出部１１６でタッチペン１１７の発光手段１１７ｂからの赤外光が検出されたか否かを判定する（工程Ｓ１４０）。
【００６１】
高さ検出部１１６でタッチペン１１７高さが検出されたと判定された場合は、検出した高さに基づき、表示部１０２を昇降移動させる（工程Ｓ１５０）。このとき、制御部１４０は、高さ検出部１１６で検出したタッチペン１１７の高さが表示部１０２の表示画面１０２ａの略中央と一致する高さに表示部１０２を昇降移動させるように、昇降移動機構を駆動制御する。このように駆動制御をすることによって、タッチパネル１３０を使用するユーザがタッチパネル１３０を含む表示画面１０２ａをより広く使用可能な位置に表示部１０２が昇降移動するので、ユーザにとって使い勝手が良好になる。
【００６２】
その後、タッチパネル１３０のタッチ操作の有無の判定が行われ（工程Ｓ１６０）、タッチパネル１３０のタッチ操作を検出すると、すなわちユーザがタッチペン１１７でタッチパネル１３０に座標入力すると、高さ調整終了の指示として、高さ調整を終了させる。すなわち、本実施の態様では、ユーザのタッチパネル１３０への入力操作の開始によって、制御部１４０は、昇降移動機構１２０による表示部１０２の昇降移動動作を終了する。このため、自動的に昇降移動機構１２０による表示部１０２の昇降移動動作を終了することが出来るので、当該昇降移動動作を終了するために、余分な操作を不要とし、ユーザにとって利便性が向上する。
【００６３】
なお、本図のフローには、記載されていないが、起動ボタン１４１の操作によって終了が指示されると、制御部１４０は、駆動モータ１２７を駆動制御して表示部１０２を図２（ｂ）に示す最下降状態に下降させる。
【００６４】
以上説明したように、本実施の形態では、表示装置１００のタッチパネル１３０を使用する際に、タッチパネル１３０を使用するユーザが所持するタッチペン１１７の高さに応じて、タッチパネル１３０を含む表示部１０２の高さを当該ユーザが入力し易い所望の高さとなるように、自動的に表示部１０２を昇降移動させられる。このため、表示部１０２の高さを容易に調整出来るようになり、ユーザにとってタッチパネル１３０の使用時の利便性が向上する。
【００６５】
なお、この実施形態では、タッチパネル１３０が存在することが前提になっているが、これに限定される訳ではなく、タッチパネル１３０がなくても構わない。この場合、操作部材は単に高さ指定にのみ使用されることになるため、図１０の工程Ｓ１６０のタッチ操作検出は存在せず、所定時間を待って赤外線を検出が確認されなければ、処理を終了することになる。
【００６６】
(第２の実施の形態)
次に、本発明の表示装置の第２の実施の形態について、図面を使用しながら説明する。本実施の形態の表示装置の概略構成、当該表示装置の各構成要素の構成、および表示装置の制御手段の動作に係る電気的構成は、第１の実施の形態と同様であるので、かかる説明は、省略する。
【００６７】
本実施の形態では、表示装置の表示部の昇降移動動作の制御方向が異なる。すなわち、第１の実施の形態では、高さ調整開始ボタン１４２のオン操作入力が検出された場合に、制御部が表示部を昇降移動させる昇降移動機構の駆動制御を開始するが、本実施の形態では、ユーザと表示部との距離を検出する距離検出部によって、ユーザと表示部との距離が所定の大きさ範囲内である旨が検出された場合に、制御部が表示部を昇降移動させる昇降移動機構の駆動制御を開始する。
【００６８】
以下、本実施の形態の表示装置の表示部の昇降移動動作について、図面を使用しながら説明する。図１１は、本実施の形態の表示装置の制御部によって動作制御される表示部の昇降移動動作のフローを示すフローチャートである。
【００６９】
まず、起動操作部となる起動ボタン１４１がユーザによって入力操作（起動指示）されたか否かを判定する（工程Ｓ２１０）。工程Ｓ２１０で起動指示されたと検出されると、表示部１０２を図２（ｂ）に示すような最下降の状態から図２（ａ）に示すような初期位置の状態まで上昇させる（工程Ｓ２２０）。
【００７０】
その後、距離検出部１１８によって検出されたユーザと表示部１０２との距離が所定の距離範囲内にあるか否かを判定する（工程Ｓ２３０）。このとき、表示部１０２の高さ調整開始の契機となるユーザと表示部１０２との距離である所定の距離範囲とは、ユーザがタッチパネル１３０を使用する際に、最低限必要とされる距離の範囲内であり、かつユーザが表示部１０２に近づき過ぎないようにするために、最低限必要とされる距離を確保するためのユーザと表示部１０２との距離範囲を言い、例えば、２０ｃｍ〜１ｍの範囲と事前に設定されている。
【００７１】
工程Ｓ２３０でユーザと表示部１０２との距離が所定の距離範囲内にあると検出された場合は、その後、制御部１４０が表示部１０２を昇降移動させる昇降移動機構１２０の駆動制御を開始し、高さ検出部１１６でタッチペン１１７の発光手段１１７ｂからの赤外光が検出されたか否かを判定する（工程Ｓ２４０）。
【００７２】
高さ検出部１１６でタッチペン１１７高さが検出されたと判定された場合は、検出した高さに基づき、表示部１０２を昇降移動させる（工程Ｓ２５０）。このとき、第１の実施の形態と同様に、ユーザの使い勝手を良好とするために、制御部１４０は、高さ検出部１１６で検出したタッチペン１１７の高さが表示部１０２の表示画面１０２ａの略中央と一致する高さに表示部１０２を昇降移動させるように、昇降移動機構を駆動制御する。
【００７３】
その後、タッチパネル１３０のタッチ操作の有無の判定が行われ（工程Ｓ２６０）、タッチパネル１３０のタッチ操作を検出すると、すなわちユーザがタッチペン１１７でタッチパネル１３０に座標入力すると、高さ調整終了の指示として、高さ調整を終了させる。すなわち、本実施の態様では、第１の実施の形態と同様に、ユーザのタッチパネル１３０への入力操作の開始によって、制御部１４０は、昇降移動機構１２０による表示部１０２の昇降移動動作を終了する。このため、自動的に昇降移動機構１２０による表示部１０２の昇降移動動作を終了することが出来るので、当該昇降移動動作を終了するために、余分な操作を不要とし、ユーザにとって利便性が向上する。
【００７４】
なお、本図のフローには、記載されていないが、第１の実施の形態と同様に、起動ボタン１４１の操作によって終了が指示されると、制御部１４０は、駆動モータ１２７を駆動制御して表示部１０２を図２（ｂ）に示す最下降状態に下降させる。
【００７５】
以上説明したように、本実施の形態では、第１の実施の形態と同様に、表示装置１００のタッチパネル１３０を使用する際に、タッチパネル１３０を使用するユーザが所持するタッチペン１１７の高さに応じて、タッチパネル１３０を含む表示部１０２の高さを当該ユーザが入力し易い所望の高さとなるように、自動的に表示部１０２を昇降移動させられる。このため、表示部１０２の高さを容易に調整出来るようになり、ユーザにとってタッチパネル１３０の使用時の利便性が向上する。
【００７６】
また、本実施の形態では、距離検出部１１８で検出されたユーザと表示部との距離が所定の大きさ範囲内である旨が検出された場合に、制御部１４０が昇降移動機構１２０の駆動制御を開始する。このため、例えば、ユーザがタッチパネル１３０を直ぐに使用しないために、所定の距離より遠方にいる場合には、余計に表示部１０２の昇降移動動作を実行せずに済むので、無駄な電力消費を抑制し、反対に、ユーザが表示部１０２に近づき過ぎた場合には、表示部１０２を昇降移動させた際にユーザが移動中の表示部１０２に頭部等を負傷する危険を事前に防止出来るようになる。
【００７７】
なお、この実施形態も第１の実施形態と同様にタッチパネルがない場合にも適用できる。
【００７８】
(第３の実施の形態)
次に、本発明の表示装置の第３の実施の形態について、図面を使用しながら説明する。本実施の形態の表示装置の各構成要素の構成は、第１の実施の形態と同様の部分があるので、かかる説明は、省略する。
【００７９】
本実施の形態では、表示装置の表示部の高さ検出手段が異なる。すなわち、第１の実施の形態では、高さ調整手段は、表示装置の表示画面の手前側の側方に設けた高さ検出部がタッチパネルを使用するユーザが所持するタッチペンの高さを検出するが、本実施の形態では、タッチペンや手指等の操作手段によるタッチパネルへの座標入力によって、当該操作手段が位置する高さを検出する。
【００８０】
以下、本実施の形態の表示装置の構成について、図面を参照しながら説明する。図１２は、本実施の形態の表示装置の全体の概要構成を示す斜視図である。
【００８１】
表示装置３００は、第１の実施の形態と同様に、大型ＬＣＤ等からなる表示画面３０２ａを有する表示部３０２と、この表示部３０２を起立させるように支持するための台座部となる支持スタンド３０４を備える。また、表示部３０２の表示画面３０２ａの前面側には、タッチペン等の操作手段によって入力された座標を検出するタッチパネル３３０が当該表示画面３０２ａに重なるようにして設けられている。図１２に示すように、支持スタンド３０４は、表示装置３００の設置面となる床面に対して接触する基台３０６と、当該基台３０６と表示部３０２を連結して、当該表示部３０２の表示画面３０２ａが床面に対して略鉛直となるように支持する一対の脚部３０８を備える構成となっている。これらの脚部３０８の間の基台３０６の上面側には、プリンタ等の電子機器３１０を載置する載置台３１２が設けられている。また、基台３０６の底面側には、表示装置３００の略水平方向の移動を容易にするための移動用車輪となるキャスター３１４が設けられている。さらに、表示部３０２の下端側には、超音波を用いて、表示部３０２とユーザとの距離を検出する距離検出手段となる距離検出部３１８が設けられている。
【００８２】
本実施の形態では、第１の実施の形態のように、表示装置３００の表示画面３０２ａの手前側の側方には、タッチパネル３３０を使用するユーザが所持するタッチペン等の操作手段の高さを検出する高さ検出部を別途に設けていないことを特徴とする。本実施の形態では、タッチペンや手指等の操作手段によるタッチパネル３３０への座標入力によって、タッチパネルを使用するユーザにとって好適な高さを検出する。なお、本実施の形態による高さ調整手段については、後述する。
【００８３】
次に、本実施の形態の表示装置の制御手段の動作に係る電気的構成について、図面を使用しながら説明する。図１３は、本実施の形態の表示装置の制御手段の動作に係る電気的構成を示すブロック図である。
【００８４】
本実施の形態の表示装置３００は、装置動作を統括制御する制御手段となる制御部３４０を備える。制御部３４０は、表示装置３００の動作制御の中心的素子となる不図示のＣＰＵが含まれ、このＣＰＵには、ＣＰＵが実行するプログラムや各種データが格納された不図示のＲＯＭ、作業用のメモリ等として使用される不図示のＲＡＭが接続されている。ＣＰＵは、ＲＯＭに記憶されたデータ、プログラム等に従って、表示装置３００の表示部３０２の昇降移動をシーケンス動作させる。
【００８５】
図１３に示すように、制御部３４０は、入力段側には、起動操作部３４１、高さ調整操作部３４２、距離検出部３１８、およびタッチパネル３３０と接続され、出力段側には、表示部３０２、プリンタ３１０、および駆動モータ３２７と接続されて制御している。
【００８６】
起動操作部３４１は、表示装置３００の表示部３０２を使用するに際し、起動開始操作をする起動ボタンとしての機能を有する。起動操作部３４１がユーザによってＯＮ入力されると、起動指示をするコマンド信号が制御部３４０に送信されて、当該制御部３４０が駆動モータ３２７を駆動するようコマンド信号を送信し、駆動モータ３２７が回転駆動開始することによって、表示部３０２が所定の高さとなる初期位置まで上昇移動するようになる。また、起動操作部３４１は、ユーザが表示装置３００の使用を完了した際に使用終了操作、すなわち、起動ボタンの操作によって終了が指示されると、表示部３０２を下降させるよう制御部３４０にコマンド信号が送信され、駆動モータ３２７が上記の上昇移動時と反対の方向に回転駆動開始することによって、表示部３０２を最下降位置まで下降させるようになる。
【００８７】
高さ調整操作部３４２は、表示装置３００の表示部３０２の高さ調整をするに際し、昇降移動操作をする高さ調整開始ボタンとしての機能を有する。高さ調整操作部３４２がユーザによってＯＮ入力されると、高さ調整開始の指示をするコマンド信号が制御部３４０に送信されて、当該制御部３４０がユーザのタッチパネル３３０への最初の座標入力のデータを元にユーザが所持しているタッチペンやユーザの手指等の操作手段の床面からの高さを検出するようコマンド信号を送信する。そして、タッチパネル３３０に座標入力されたデータを元に高さを検出すると、制御部３４０は、表示部３０２を検出されたユーザの操作手段の高さとなるように、表示部３０２を昇降移動させるために、駆動モータ３２７に回転駆動するようコマンド信号を送信する。また、本実施の形態では、高さ調整操作部３４２は、表示装置３００の表示部３０２の高さ調整を終了するに際し、昇降移動操作をする高さ調整終了ボタンとしての機能も有する。すなわち、表示部３０２が所望の高さに昇降移動して、高さ調整終了ボタン３４２への操作を検出すると、表示部３０２の昇降移動機構３２０による昇降移動動作が完了する。
【００８８】
次に、本実施の形態の表示装置の表示部の昇降移動動作について、図面を使用しながら説明する。図１４は、本実施の形態の表示装置の制御部によって動作制御される表示部の昇降移動動作のフローを示すフローチャートである。
【００８９】
まず、起動操作部となる起動ボタン３４１がユーザによって入力操作（起動指示）されたか否かを判定する（工程Ｓ３１０）。工程Ｓ３１０で起動指示されたと検出されると、表示部３０２を図２（ｂ）に示すような最下降の状態から図２（ａ）に示すような初期位置の状態まで上昇させる（工程Ｓ３２０）。
【００９０】
その後、高さ調整開始ボタン３４２のオン操作の有無を判定し（工程Ｓ３３０）、高さ調整開始ボタン３４２のオン操作が有りと検出された場合は、その後、ユーザがタッチパネル３３０への最初の座標入力が検出されたか否かを判定する（工程Ｓ３４０）。
【００９１】
ユーザのタッチパネル３３０への最初の座標入力が検出されたと判定された場合は、検出した高さに基づき、表示部３０２を昇降移動させる（工程Ｓ３５０）。このとき、制御部３４０は、高さ検出部３１６で検出したタッチペン３１７の高さが表示部３０２の表示画面３０２ａの略中央と一致する高さに表示部３０２を昇降移動させるように、昇降移動機構を駆動制御する。このように駆動制御をすることによって、タッチパネル３３０を使用するユーザがタッチパネル３３０を含む表示画面３０２ａをより広く使用可能な位置に表示部３０２が昇降移動するので、ユーザにとって使い勝手が良好になる。
【００９２】
その後、高さ調整操作部（高さ調整終了ボタン）３４２への操作の有無の判定が行われ（工程Ｓ３６０）、高さ調整終了ボタン３４２の操作を検出すると、表示部３０２の高さ調整を終了させる。
【００９３】
なお、本図のフローには、記載されていないが、起動ボタン３４１の操作によって終了が指示されると、制御部３４０は、駆動モータ３２７を駆動制御して表示部３０２を図２（ｂ）に示す最下降状態に下降させる。
【００９４】
以上説明したように、本実施の形態では、表示装置３００のタッチパネル３３０を使用する際に、タッチパネル３３０を使用するユーザが所持するタッチペンやユーザの手指等の操作手段の高さに応じて、タッチパネル３３０を含む表示部３０２の高さを当該ユーザが入力し易い所望の高さとなるように、自動的に表示部３０２を昇降移動させられる。このため、表示部３０２の高さを容易に調整出来るようになり、ユーザにとってタッチパネル３３０の使用時の利便性が向上する。
【００９５】
また、本実施の形態では、タッチパネル３３０を使用するユーザに好適な高さを検出する高さ調整手段をユーザの所持するタッチペンや手指等の操作手段によるタッチパネル３３０への最初の座標入力によって、当該好適な高さを検出する。このため、例えば、ユーザが所定のタッチペン等を所持しないで手指等による入力操作が可能なタッチパネルを含む表示装置にも、表示部の昇降移動動作を実行させられるようになる。
【００９６】
さらに、本実施の形態では、検出する表示部３０２の高さの範囲は、タッチパネル３３０の位置の範囲内に限定されるものの、第１の実施の形態の高さ検出部１１６のような別途に高さ検出手段を設ける必要が無くなるので、装置全体の設置面積を縮小して、省スペース化が実現される。
【００９７】
（第４の実施の形態）
次に、本発明の表示装置の第４の実施の形態について、図面を使用しながら説明する。本実施の形態の表示装置の各構成要素の構成は、第３の実施の形態と同様の部分があるので、かかる説明は、省略する。
【００９８】
本実施の形態では、表示部の構成が第３の実施の形態とは異なる。図１５は、本実施の形態の表示部の概要構成を示す正面図である。
【００９９】
表示部４０２は、大型ＬＣＤ等からなる表示画面３０２と、その表示画面上に設けたタッチパネル４３０と、高さ検出手段である赤外線ＬＥＤアレイ４３３およびフォトトランジスタアレイ４３５とを備えている。
【０１００】
タッチパネル４３０は、第１の実施の形態とは異なり、透明部材上に透明電極を設けた静電容量方式や透明抵抗膜を設けた抵抗膜方式のものを使用する。赤外線ＬＥＤアレイ４３３およびフォトトランジスタアレイ４３５は、表示部４０２の水平方向の両側端部に、且つ表示画面４０２ａを挟むように、上下方向に配置される。
【０１０１】
タッチペンにより表示画面４０２ａ上に触れると、触れた位置を通過するＬＥＤ４３３の光がタッチペンにより遮蔽され、フォトトランジスタ４３５に到達しなくなるために、到達しなかったフォトトランジスタ４３５の座標を指定された座標として出力する。
【０１０２】
このように、タッチパネル４３０とは別に高さ検出専用の検出手段４３３、４３５を表示部４０２に設けることにより、タッチパネル４３０とは別操作とすることができ、誤操作を防止できる。また、表示部４０２の側端部にタッチ操作可能な高さ検出部が設けられているので、利用者が容易に高さ調整を実施することができ、操作性を向上させることができる。
【０１０３】
（第５の実施の形態）
次に、本発明の表示装置の第５の実施の形態について、図面を使用しながら説明する。本実施の形態の表示装置の各構成要素の構成は、第１の実施の形態と同様の部分があるので、かかる説明は、省略する。
【０１０４】
本実施の形態は、表示装置を上下移動させるべきでないときに移動を禁止する一方、上下移動の必要が生じたときには容易に移動可能に切換えることができる装置を提供するものである。
【０１０５】
図１６は、本実施の形態の表示装置に備わるタッチペンの概要構成を示す正面図である。このタッチペン５１７の構成は、図７のタッチペンと同様であり、共通部分には同一の符号を付し、詳しい説明は省略する。
【０１０６】
このタッチペン５１７は、利用者が手で持つ位置に、人体の微弱電流を検出するための導電性物体１１７ｄを外周に巻いた状態で設けている。利用者の手が導電性物体１１７ｄに接触していると人体周囲の微弱電波が手を介して微弱電流が導電性物体に伝達される。タッチペン５１７の内部に設けられた検出回路に検出した微弱電流を送出する。該検出回路は、微弱電波を増幅し、増幅後の出力が所定値以上になったらタッチペン５１７は手によって保持されていると検出することができる。利用者がタッチペン５１７を保持していることを検出できた時点で、検出回路は、その結果を表示装置本体に通知し、表示装置の制御部は、表示装置の上下動を実施するよう制御する。
【０１０７】
こうして、表示装置を上下移動させるべきでないときに移動を禁止する一方、上下移動の必要が生じたときには容易に移動可能に切換えることができるので、安全性と利便性を両立させることができる。
【０１０８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１０９】
例えば、上記の各実施の形態では、表示部の表示画面は、ＬＣＤからなるものについて、説明しているが、表示画面の前面側にタッチパネルを有する表示部を備える表示装置であれば、プラズマディスプレイ等の他の表示画面を有する表示部を昇降移動可能とする表示装置にも、本発明を適用可能である。
【図面の簡単な説明】
【０１１０】
【図１】本発明の第１の実施形態の表示装置の全体の概要構成を示す斜視図である。
【図２】同実施の形態の表示装置の全体の概要構成を示す正面図であり、(ａ)は、通常使用時における表示装置、（ｂ）は、不使用時（移動時）における表示装置を示す。
【図３】同実施の形態の表示装置の表示部の昇降移動機構の概略構成を示す側面図であり、（ａ）は、通常使用時の状態を示す側面図、（ｂ）は、本実施の形態の表示装置の昇降移動機構に備わる表示部支持部材の構成を上から見た図である。
【図４】同実施の形態の表示装置の表示部の昇降移動機構の概略構成であり、不使用時の状態を示す側面図である。
【図５】同実施の形態の表示装置に備わる昇降移動機構による表示部の昇降移動動作の駆動源を上側から見た平面図である。
【図６】同実施の形態の表示装置に備わる高さ検出手段の概略を示す構成図である。
【図７】同実施の形態の表示装置に備わるタッチパネルの操作部材となるタッチペンの構成を示す正面図である。
【図８】同実施の形態の表示装置に備わるタッチパネルの構成を示す平面図である。
【図９】同実施の形態の表示装置の制御手段の動作に係る電気的構成を示すブロック図である。
【図１０】同実施の形態の表示装置の表示部の昇降移動動作のフローを示すフローチャートである。
【図１１】本発明の第２の実施の形態の表示装置の表示部の昇降移動動作のフローを示すフローチャートである。
【図１２】本発明の第３の実施の形態の表示装置の全体の概要構成を示す斜視図である。
【図１３】同実施の形態の表示装置の制御手段の動作に係る電気的構成を示すブロック図である。
【図１４】同実施の形態の表示装置の表示部の昇降移動動作のフローを示すフローチャートである。
【図１５】本発明の第４の実施の形態の表示部の概要構成を示す正面図である。
【図１６】本発明の第５の実施の形態の表示装置に備わるタッチペンの概要構成を示す正面図である。
【符号の説明】
【０１１１】
１００      表示装置
１０２      表示部
１０２ａ    表示画面
１０４      台座部
１０６      基台
１０８      脚部
１１０      電子機器（プリンタ）
１１２      載置台
１１６      高さ検出手段
１１６ａ    集光手段（集光レンズ）
１１６ｂ    集光手段（シリンドリカルレンズ）
１１６ｃ    ラインセンサ（ＣＣＤラインセンサ）
１１７      操作手段（タッチペン）
１１７ｂ    発光手段（赤外ＬＥＤユニット）
１１７ｃ    拡散部材（拡散板）
１１８      距離検出手段
１２０      昇降移動機構
１３０      入力座標検出手段（タッチパネル）
１４０      制御手段
１４１      起動操作部
【図１】
2009069762.tif 000003
【図２】
2009069762.tif 000004
【図３】
2009069762.tif 000005
【図４】
2009069762.tif 000006
【図５】
2009069762.tif 000007
【図６】
2009069762.tif 000008
【図７】
2009069762.tif 000009
【図８】
2009069762.tif 000010
【図９】
2009069762.tif 000011
【図１０】
2009069762.tif 000012
【図１１】
2009069762.tif 000013
【図１２】
2009069762.tif 000014
【図１３】
2009069762.tif 000015
【図１４】
2009069762.tif 000016
【図１５】
2009069762.tif 000017
【図１６】
2009069762.tif 000018